(57)【要約】外部のマイクロプロセッサ装置（５０）が外部の電気的装置として無線モジュールに接続され、該モジュールが外部のマイクロプロセッサ装置に対するモデムとして働き、かつ該モジュールがモデム駆動信号により外部のマイクロプロセッサ装置で駆動される受動的な作動形式と、少なくとも１つのアクチュエータ（１００）又はセンサ（１１０）が外部の電気的装置として無線モジュールに接続され、該モジュールが少なくとも１つのアクチュエータ又はセンサを駆動および／又は呼び出し、かつ無線装置を経て外側から駆動される少なくとも１つの能動的な作動形式との少なくとも２つの作動形式で作動する無線モジュール（５）に関する。可能な限り少数の接続ピンで済む無線モジュールを提供すべく、接続ピンの電気的な占有を、マイクロプロセッサ装置が少なくとも１つの接続ピンを受動的および能動的な作動形式の双方で利用するように構成する。
2005531996.tif 000002
【特許請求の範囲】
【請求項１】
無線装置（１０）と、該装置に接続された内部のマイクロプロセッサ装置（２０）と、マイクロプロセッサ装置と接続され、かつ少なくとも１つの外部の電気的装置（５０、１００、１１０、１２０、１３０）に無線モジュールを接続する接続ピン（Ｓ１、…、Ｓ８）を有するインターフェース（３０）とを備えた無線モジュール（５）であって、
外部のマイクロプロセッサ装置（５０）が外部の電気的装置として無線モジュールに接続され、無線モジュールが外部のマイクロプロセッサ装置に対するモデムとしての役割をし、かつ無線モジュールがモデム駆動信号、好ましくはＡＴコマンドを介して外部のマイクロプロセッサ装置で駆動される受動的な作動形式と、
少なくとも１つのアクチュエータ（１００）又はセンサ（１１０）が外部の電気的装置として無線モジュールに接続され、無線モジュールが少なくとも１つのアクチュエータ又はセンサを駆動しおよび／又は呼び出し、かつ無線装置を経て外側から駆動される少なくとも１つの能動的な作動形式と
の少なくとも２つの作動形式で作動するよう構成された無線モジュールにおいて、
接続ピンによる電気的な接続を、マイクロプロセッサ装置が少なくとも１つの接続ピンを受動的な作動形式に対しても、能動的な作動形式の１つに対しても利用すべく変更可能に構成したことを特徴とするモジュール。
【請求項２】
マイクロプロセッサ装置が、少なくとも２つのソフトウェアプログラム（２００、２５０）によりプログラムされており、それらの内ソフトウェアプログラム（２５０）が、無線モジュールの少なくとも２つの作動形式の各々に対する接続ピンの電気的な占有を決定する無線モジュールの作動システムを形成し、少なくとも１つの別のソフトウェアプログラムが、無線モジュールの各作動形式を決定する応用ソフトウェア（２００）を形成することを特徴とする請求項１記載の無線モジュール。
【請求項３】
応用ソフトウェアが利用者側で外部から変更可能であり、それに対し作動システムが利用者側で変更不可能であることを特徴とする請求項２記載の無線モジュール。
【請求項４】
作動システム（２５０）がファームウェアにより形成されたことを特徴とする請求項３記載の無線モジュール。
【請求項５】
応用ソフトウェアがプログラム言語Basic又は“Java”をベースとする解釈ソフトウェアであることを特徴とする請求項３又は４記載の無線モジュール。
【請求項６】
無線装置およびインターフェースの駆動が専ら作動システムにより行われ、インターフェースおよび無線装置への応用ソフトウェアのアクセスが専ら作動システムの仲介および管理の下に行われ、しかもインターフェースおよび無線装置への応用ソフトウェアの直接のアクセスが阻止されるよう、応用ソフトウェアと作動ソフトウェアを互いに隔離したことを特徴とする請求項１から５の１つに記載の無線モジュール。
【請求項７】
受動的な作動形式が完全に作動システム内に格納されたことを特徴とする請求項１から６の１つに記載の無線モジュール。  
【発明の詳細な説明】
【技術分野】
【０００１】
本発明は、無線装置と、無線装置と接続されている内部のマイクロプロセッサ装置と、マイクロプロセッサ装置と接続され、かつ少なくとも１つの外部の電気的装置に無線モジュールを接続するための接続ピンを有するインターフェースとを備えた無線モジュールであって、外部のマイクロプロセッサ装置が外部の電気的装置として無線モジュールに接続され、無線モジュールが外部のマイクロプロセッサ装置に対するモデムとして機能し、かつ無線モジュールがモデム駆動信号、好ましくはＡＴコマンドを介して外部のマイクロプロセッサ装置で駆動される受動的な作動形式と、少なくとも１つのアクチュエータ又はセンサが外部の電気的装置として無線モジュールに接続されており、無線モジュールが少なくとも１つのアクチュエータ又はセンサを駆動しおよび／又は呼び出し、かつ無線装置を経て外側から駆動される少なくとも１つの能動的な作動形式との少なくとも２つの作動形式で作動するように構成された無線モジュールに関する。
【０００２】
該無線モジュールはWavecom社から“WismoPac”と言う製品名で販売されている。このモジュールは２つの作動形式、詳細には無線モジュールがモデムとして作動する第１の作動形式と、モデムを通信装置、例えばHandy内で用い、かつそこで全ての制御機能を引き受ける第２の作動形式とで作動する。既知の無線モジュールは２２２個の接続ピンを持つインターフェースを備え、それら接続ピンの第１の群はＡＴコマンド毎にモデム作動に対し直列のインターフェース、即ちＲＳ-２３２インターフェースを形成する。全ての他の接続ピンは、既知のモジュールに関する全ての他の課題に対し、例えばマイクロホン、スピーカ、ＳＩＭカード又は他の構成要素に用いられる接続ピンの第２の群を形成する。
【０００３】
本発明の課題は、できるだけ少数の接続ピンで済ませ得る無線モジュールを提供することである。
【０００４】
この課題は、冒頭に挙げた形式の無線モジュールから出発し、接続ピンの電気的な接続を、マイクロプロセッサ装置が少なくとも１つの接続ピンを受動的な作動形式に対しても能動的な作動形式の１つに対しても利用すべく変更可能に構成することで解決される。
【０００５】
本発明による無線モジュールの主な利点は、特に経済的に製造可能なことにある。何故ならば、本発明による無線モジュールではインターフェースに対する接続ピンが従来公知の無線モジュールよりも明らかに少数で済み、その結果材料および製造コストが低減するからである。このことは本発明による無線モジュールでは、具体的に、インターフェースの接続ピンが無線モジュールの各作動形式に対してのみではなく、少なくとも部分的に２つ又はそれ以上の作動形式に選択的に利用することにより達成される。本発明はその際に、本発明による無線モジュールが各々の時点で常に単一の作動形式でのみ作動し、こうしてインターフェースの接続ピンの相応の駆動又は相応の読み出しにより、無線モジュールの各作動形式がそれに対して必要な接続ピンの数および接続ピンの必要な占有を利用するように配慮されるという認識に拠っている。
【０００６】
本発明による無線モジュールの実施例では、マイクロプロセッサ装置が少なくとも２つのソフトウェアプログラムでプログラムされており、それのうち１つのソフトウェアプログラムが無線モジュールの少なくとも２つの作動形式の各々に対する接続ピンの電気的な占有を決定する無線モジュールの作動システムを形成し、かつ少なくとも１つの別のソフトウェアプログラム、応用ソフトウェア、即ち無線モジュールの利用者により決定されたソフトウェアが無線モジュールの各作動形式を決定する応用ソフトウェアを形成する。マイクロプロセッサソフトウェアを少なくとも２つの隔離されたソフトウェアプログラムに分割することで、無線モジュールの利用者が発生した応用ソフトウェアを無線モジュールの本来の作動システムからプログラム技術的に隔離できる。接続ピンの電気的占有は、こうして無線モジュールの利用者の応用ソフトウェアにより意図によらずに変更されない。
【０００７】
その他に、無線モジュールの利用者による接続ピンのプログラム変更又は接続ピンの接続の変更を排除するとよい。これは、応用ソフトウェアのみが利用者側で外部から変更可能であるのに対し、作動システムは利用者側で変更不可能とすることで達成される。
【０００８】
作動システムをファームウェアにより形成することで、利用者が作動システムを変更し得ないようにできる。
【０００９】
本発明による無線モジュールは、応用ソフトウェアがプログラム言語Basicや“Java”をベースとする解釈ソフトウェアなら、利用者が簡単にプログラムできる利点がある。“Java”はSun Microosystems.Inc、Palo Alto、USAの登録商標である。
【００１０】
多くの国では、無線装置の作動前に官庁の許可が必要である。本発明による無線モジュールに対して得た許可が、利用者の応用ソフトウェアにより無線モジュールの電気的特性が、もはや官庁による許可から逸脱するように変更されることで損なわれないよう保証すべく、応用ソフトウェアと作動ソフトウェアを、無線装置およびインターフェースの駆動が専ら作動システムで行われ、かつインターフェースと無線装置への応用ソフトウェアのアクセスが専ら作動システムの仲介および管理の下に行われるよう、更にインターフェースおよび無線装置への応用ソフトウェアの直接のアクセスを阻止するよう、互いに隔離するとよい。換言すれば、無線モジュールのこの形態では、無線モジュールの作動形式を、利用者がその応用ソフトウェアにより変更することを阻止する。カスタマの応用ソフトウェアに基づく許可問題をこうして確実に回避できる。即ち具体的には、専ら固定的にプリプログラムした無線モジュールの作動システムがインターフェースの構成および接続ピンの接続を決定する。利用者の応用ソフトウェアにより、次いで作動システムにより固定的に予め定められた各構成のみが選択される。無線モジュールの構成への、また無線モジュールの無線装置への応用ソフトウェアによる直接的なアクセスは排除される。
【００１１】
受動的な作動形式、即ちモデム作動形式では利用者の応用ソフトウェアは不要なので、受動的な作動形式を完全に作動システム内に格納するとよい。
ことは有利である。
【００１２】
以下、図面により本発明を説明する。
【００１３】
図１は無線装置１０、マイクロプロセッサ装置２０およびインターフェース３０を有する無線モジュール５を示す。無線装置１０はマイクロプロセッサ装置２０と接続され、該装置２０は更にインターフェース３０と接続されている。インターフェース３０は接続ピンＳ１、Ｓ２、…、Ｓ８を有し、それらにより無線モジュール５を外部の電気的な装置に接続できる。
【００１４】
図１による図示内で無線モジュール５はモデムとして、即ち受動的な作動形式で作動する。そのため無線モジュール５のインターフェース３０に、外部のコンピュータ５０が接続されている。インターフェース３０と外部のコンピュータ５０との間の電気的接続は接続ピンの部分群６０、即ち接続ピンＳ１、Ｓ２、Ｓ３およびＳ４により保証される。この部分群６０を経て、無線モジュール５をモデムとして作動させるべく、所謂ＡＴコマンドが無線モジュール５と外部のコンピュータ５０との間で交換される。
【００１５】
図１中には外部のコンピュータ５０と無線モジュール５との接続のため、図面を見易くする理由から、ただ４つの接続ピン（Ｓ１〜Ｓ４）を示す。ここで言及すべきは、接続ピンの数はほぼ任意であり、かつ単に無線モジュール５と外部のコンピュータ５０との間のデータ接続の具体的な技術的形態に関係することである。例えばモデム接続のための接続ピンの数は９個であってもよい（例えば図４の説明を参照）。
【００１６】
図２は、図１の無線モジュール５の能動的な作動形式を示す。具体的には図２による図示内の無線モジュール５は通信端末装置内で作動する。そのためにインターフェース３０の接続ピンＳ１〜Ｓ８に、アクチュエータとしてのスピーカ１００、センサとしてのマイクロホン１１０、ディスプレイ装置１２０の選択キー１３０が接続されている。
【００１７】
図１と２は、接続ピンＳ１〜Ｓ４を二重に使用することを示す。即ちそれらをモデム作動中図１のようにＡＴコマンドの伝送のために使用し、かつ図２の如く、能動的な作動形式の場合には、更にアクチュエータおよびセンサの接続のためにも用いるからである。
【００１８】
図３は“ソフトウェア側”の無線モジュール５を概要図で示す。具体的には無線モジュール５の応用ソフトウェアをブロック２００で示す。ここで応用ソフトウェアとは、無線モジュール５の利用者が実行し得るソフトウェアを意味する。応用ソフトウェア２００は無線モジュール５の作動システムと接続されている。作動システムは、図３の実施例では所謂ファームウェア、即ち利用者側で変更不可能な、固定的にプリプログラムされたソフトウェアで形成される。ファームウェアはＲＯＭ モジュール、例えばＥＰＲＯＭモジュール内に実現される。
【００１９】
作動システム２５０は、図３の実施例ではＩ／Ｏ装置としてのインターフェース３０、無線装置１０およびマイクロプロセッサ装置２０のメモリ３００を制御する。これを図３中に太い実線の両方向矢印により示す。
【００２０】
インターフェース３０には、図３に示す如く、外部の装置４００が接続されている。
【００２１】
応用ソフトウェア２００は、インターフェース３０、無線装置１０およびメモリ３００に、直接的にではなく専ら作動システム２５０を介してアクセスし得る。このことを図３中に細い破線の両方向矢印で示す。
【００２２】
こうして無線モジュール５の作動システム２５０により、どのようにインターフェース３０の接続ピンＳ１〜Ｓ８を使用すべきかが決定される。そのため作動システム内に、いつインターフェース３０のどの接続ピンを各々どのように利用すべきかを決定する種々の構成が固定的に、詳細にはファームウェアとして書き込まれる。
【００２３】
接続ピンが具体的にどのように占有されるかの例を、１９個の接続ピンを有するとして構成したインターフェース３０に対する実施例に関し図４の表に示す。
【図面の簡単な説明】
【００２４】
【図１】受動的な作動形式で作動させられる本発明による無線モジュールに対する実施例。
【図２】能動的な作動形式での図１による無線モジュール。
【図３】作動システムソフトウェアおよび応用ソフトウェア内でのマイクロプロセッサソフトウェアの分解を示す概要図。
【図４】１９個の接続ピンを持つインターフェースでの接続ピンの占有についての実施例を示す図表。
【符号の説明】
【００２５】
５  無線モジュール、１０  無線装置、２０  マイクロプロセッサ装置、３０  インターフェース装置、５０  コンピュータ、１００  アクチュエータ、１１０  センサ、１２０  ディスプレイ装置、２００  応用ソフトウェア、２５０  作動システム、３００  メモリ、４００  外部装置、Ｓ１〜Ｓ８  接続ピン
【図１】
2005531996.tif 000003
【図２】
2005531996.tif 000004
【図３】
2005531996.tif 000005
【図４】
2005531996.tif 000006
【国際調査報告】
2005531996.tif 000007
2005531996.tif 000008
2005531996.tif 000009
2005531996.tif 000010